(57)【要約】【課題】紙製や合成樹脂製等の基材を用いて形成したパッケージやその他の物品に、極めて精細な絵柄を表現することができ、見る角度によって見える絵柄が変化するようにしたチェンジング画像印刷物を提供する。【解決手段】互いに重なることのない直線又は曲線の配列による線画の各線の長さ、間隔、線幅又は角度を変化させることにより複数のパターン線画を形成すると共に、これらのパターン線画を組み合わせた絵柄を印刷基材の全面にインクを用いた印刷による断面山形状の線画として形成したことにより、印刷基材の絵柄の視認性が見る角度によって変化するようにした。【選択図】図１２
2015120328.tif 000002
【特許請求の範囲】
【請求項１】
互いに重なることのない直線又は曲線の配列による線画の各線の長さ、間隔、線幅又は角度を変化させることにより複数のパターン線画を形成すると共に、これらのパターン線画を組み合わせた絵柄を印刷基材の全面にインクを用いた印刷による断面山形状の線画として形成したことにより、印刷基材の絵柄の視認性が見る角度によって変化するようにしたことを特徴とするチェンジング画像印刷物。
【請求項２】
印刷基材の全面に形成した絵柄の面内に線画を形成しない抜き形状を形成することによって、絵柄の面内に抜き形状により形成された文字や任意の形状を表すようにしたことを特徴とする請求項１記載のチェンジング画像印刷物。
【発明の詳細な説明】
【技術分野】
【０００１】
本発明は、紙製や合成樹脂製等のパッケージやその他の物品に、極めて精細な絵柄等の画像を表現することができ、しかも見る角度によって見える絵柄が変化するようにしたチェンジング画像印刷物に関する。
【背景技術】
【０００２】
従来から、見る角度によって見える絵柄が変化するチェンジング効果を有する印刷物が知られている。その例として、特許文献１を参照すると、この文献の潜像印刷物は、主として、銀行券、パスポート、有価証券等の偽造を防止するためのセキュリティ印刷物に好適するものである。その構成としては、光沢を有する基材上の少なくとも一部に印刷画像を備え、光輝性材料を含むインキで形成された第一の画像の上に、透明なインキによって形成された第二の画像を形成してなるものである。
【０００３】
また、上記の潜像印刷物において、第一の画像は第一の背景部と第一の情報部とを有し、第二の画像は第二の背景部と第二の情報部とを有し、第二の背景部はポジ画像群とネガ画像群とを有するというように、非常に複雑な構成からなるものである。従って、その効果もまた、見る角度を変えることによって、第一の画像、ポジ画線群又はネガ画線群、或いは第二の情報部というように、三様の画像が視認可能であり、このように、三つの観察条件でそれぞれ視認できる画像を変化させることによって偽造防止効果の高い印刷物を形成するようにしたものである。
【０００４】
なお、見る角度によって見える絵柄が変化する印刷物としては、上記の他に、ホログラムの技術を利用した印刷物や、レンチキュラーレンズを利用した印刷物が存在する。ところが、ホログラムの技術を利用した印刷物の場合、インキを用いる従来の印刷形態とは異なり、複雑な製造工程と金属箔等の特殊な材料を必要とする。また、レンチキュラーレンズを利用した印刷物の場合、筋状を成すようにインターレースされた合成画像の上にレンチキュラーレンズによるシートを形成する必要がある。
【先行技術文献】
【特許文献】
【０００５】
【特許文献１】特開平２０１２−２３２５４５
【発明の概要】
【発明が解決しようとする課題】
【０００６】
本発明は、上記の潜像印刷物のように、偽造防止を目的とする印刷物ではなく、紙製や合成樹脂製等の基材を用いて形成したパッケージやその他の物品に、極めて精細な絵柄を表現することができ、見る角度によって見える絵柄が変化するようにしたチェンジング画像印刷物を提供することを目的とする。
【課題を解決するための手段】
【０００７】
上記の目的を達成するために、本発明における請求項１のチェンジング画像印刷物は、互いに重なることのない直線又は曲線の配列による線画の各線の長さ、間隔、線幅又は角度を変化させることにより複数のパターン線画を形成すると共に、これらのパターン線画を組み合わせた絵柄を印刷基材の全面にインクを用いた印刷による断面山形状の線画として形成したことにより、印刷基材の絵柄の視認性が見る角度によって変化するようにしたことを特徴とする。
【０００８】
また、本発明の請求項２のチェンジング画像印刷物は、請求項１において、印刷基材の全面に形成した絵柄の面内に線画を形成しない抜き形状を形成することによって、絵柄の面内に抜き形状により形成された文字や任意の形状を表すようにしたことを特徴とする。
【発明の効果】
【０００９】
本発明のチェンジング画像印刷物は、破線形状を構成する短線の長さ、直線方向の間隔、線幅、線幅方向の間隔又は角度を変えることによって形成した異なる複数の線画を組み合わせることによって、複数の短線からなるパターンを連続的に配列してなるパターン線画として形成し、このパターン線画を透光性インキで印刷することにより、一つ又は複数の絵柄の視認性が見る角度によって変化するチェンジング画像印刷物を得ることが可能となる。
【００１０】
上記のように、本発明のチェンジング画像印刷物は、破線形状を構成する短線が線画の構成要素となるため、各短線を非常に微細に描いた場合でも、複数の連続的な直線を用いたり、直線を交差したりする構成とは異なり、印刷のためのインキが潰れたりする現象が生じ難く、各短線が均一な形状で整然と形成され、見る角度によって変化する絵柄が非常に繊細な視認性で目視可能となる。
【００１１】
従って、本発明のチェンジング画像印刷物を紙製や合成樹脂製等の印刷基材を用いたパッケージやその他の物品に適用することによって、従来には存在しなかった極めて精細な絵柄を表現することができ、しかも見る角度によって見える絵柄が変わるという、非常に綺麗な変化のあるデザイン性をアピールすることが可能となる。
【００１２】
本発明の請求項１によるチェンジング画像印刷物は、互いに重なることのない直線又は曲線の配列による線画の各線の長さ、間隔、線幅又は角度を変化させることにより複数のパターン線画を形成すると共に、これらのパターン線画を組み合わせた絵柄を印刷基材の全面にインクを用いた印刷による断面山形状の線画として形成したことにより、印刷基材の絵柄の視認性が見る角度によって変化することが可能となる。
【００１３】
このようなチェンジング画像印刷物においても、互いに重なることのない直線又は曲線の配列による各線画が各印刷基材の全面にインキを用いて印刷されたことによって、印刷のためのインキが潰れたりする現象が生じ難く、各線画が均一な形状で整然と形成され、見る角度によって変化する絵柄が非常に繊細な視認性で目視可能となる。
【００１４】
従って、このようなチェンジング画像印刷物を紙製や合成樹脂製等の印刷基材を用いたパッケージやその他の物品に適用することによって、極めて精細な絵柄を表現することができ、見る角度によって絵柄の視認性が変化するという非常に綺麗な外観を呈することが可能となる。
【図面の簡単な説明】
【００１５】
【図１】（ａ）〜(ｇ)は、本発明の実施例１に関する線画、パターン線画及び単一のパターンを示す平面図である。
【図２】（ａ）〜(ｄ)は、本発明の実施例１の具体例として示した線画及びパターン線画を示す平面図であって、ベース柄に白抜きのない場合を示す。
【図３】（ａ）、(ｂ)は、図２に示すパターン線画によって形成されたチェンジング画像印刷物が見る角度を変えることによって変化する状態を示す平面図である。
【図４】（ａ）〜(ｄ)は、本発明の実施例１の具体例として示した線画及びパターン線画を示す平面図であって、ベース柄に白抜きのある場合を示す。
【図５】（ａ）、(ｂ)は、図４に示すパターン線画によって形成されたチェンジング画像印刷物が、見る角度を変えることによって変化する状態を示す平面図である。
【図６】（ａ）〜(ｃ)は、本発明の実施例１において、見る角度を変えることによって印刷後の突状パターンに対する正反射光の強弱が変化する態様を示す説明図である。
【図７】（ａ）〜(ｈ)は、本発明の実施例２に関する線画、パターン線画及び単一のパターンを示す平面図である。
【図８】（ａ）〜(ｅ)は、本発明の実施例２の具体例として示した線画及びパターン線画を示す平面図であって、ベース柄に白抜きのない場合を示す。
【図９】（ａ）〜(ｃ)は、図８に示すパターン線画によって形成されたチェンジング画像印刷物が、見る角度を変えることによって変化する状態を示す平面図である。
【図１０】（ａ）〜(ｅ)は、本発明の実施例２の具体例として示した線画及びパターン線画を示す平面図であって、ベース柄に白抜きのある場合を示す。
【図１１】（ａ）〜(ｃ)は、図１０に示すパターン線画によって形成されたチェンジング画像印刷物が、見る角度を変えることによって変化する状態を示す平面図である。
【図１２】（ａ）は、本発明の実施例３に関するチェンジング画像印刷物をカードの全面に形成した具体例を示す平面図であり、(ｂ)〜(ｈ)はチェンジング画像印刷物の絵柄を形成するパターン線画の具体例を示す。
【図１３】（ａ）は本発明の実施例３に関するチェンジング画像印刷物を適用したパッケージの展開図であり、(ｂ)〜(ｄ)はパッケージの各面に施した異なるパターン線画の部分拡大図である。
【図１４】（ａ）本発明の実施例３に関するチェンジング画像印刷物の平面図であり、(ｂ)はパターン線画の部分拡大図である。
【図１５】（ａ）本発明の実施例３に関するチェンジング画像印刷物の平面図であり、(ｂ)はパターン線画の部分拡大図である。
【図１６】（ａ）本発明の実施例３に関するチェンジング画像印刷物の平面図であり、(ｂ)はパターン線画の部分拡大図である。
【図１７】（ａ）本発明の実施例３に関するチェンジング画像印刷物の平面図であり、(ｂ)はパターン線画の部分拡大図である。
【図１８】（ａ）本発明の実施例３に関するチェンジング画像印刷物の平面図であり、(ｂ)はパターン線画の部分拡大図である。
【図１９】（ａ）本発明の実施例３に関するチェンジング画像印刷物の平面図であり、(ｂ)はパターン線画の部分拡大図である。
【図２０】（ａ）本発明の実施例３に関するチェンジング画像印刷物の平面図であり、(ｂ)はパターン線画の部分拡大図である。
【図２１】（ａ）本発明の実施例３に関するチェンジング画像印刷物の平面図であり、(ｂ)はパターン線画の部分拡大図である。
【図２２】（ａ）本発明の実施例３に関するチェンジング画像印刷物の平面図であり、(ｂ)はパターン線画の部分拡大図である。
【図２３】（ａ）本発明の実施例３に関するチェンジング画像印刷物の平面図であり、(ｂ)はパターン線画の部分拡大図である。
【図２４】（ａ）本発明の実施例３に関するチェンジング画像印刷物の平面図であり、(ｂ)はパターン線画の部分拡大図である。
【図２５】（ａ）本発明の実施例３に関するチェンジング画像印刷物の平面図であり、(ｂ)はパターン線画の部分拡大図である。
【図２６】（ａ）本発明の実施例３に関するチェンジング画像印刷物の平面図であり、(ｂ)はパターン線画の部分拡大図である。
【図２７】（ａ）本発明の実施例３に関するチェンジング画像印刷物の平面図であり、(ｂ)はパターン線画の部分拡大図である。
【図２８】（ａ）本発明の実施例３に関するチェンジング画像印刷物の平面図であり、(ｂ)はパターン線画の部分拡大図である。
【図２９】（ａ）本発明の実施例３に関するチェンジング画像印刷物の平面図であり、(ｂ)はパターン線画の部分拡大図である。
【図３０】（ａ）本発明の実施例３に関するチェンジング画像印刷物の平面図であり、(ｂ)はパターン線画の部分拡大図である。
【図３１】（ａ）本発明の実施例３に関するチェンジング画像印刷物の平面図であり、(ｂ)はパターン線画の部分拡大図である。
【図３２】（ａ）本発明の実施例３に関するチェンジング画像印刷物の平面図であり、(ｂ)はパターン線画の部分拡大図である。
【図３３】（ａ）本発明の実施例３に関するチェンジング画像印刷物の平面図であり、(ｂ)はパターン線画の部分拡大図である。
【図３４】（ａ）本発明の実施例３に関するチェンジング画像印刷物の平面図であり、(ｂ)はパターン線画の部分拡大図である。
【図３５】（ａ）本発明の実施例３に関するチェンジング画像印刷物の平面図であり、(ｂ)はパターン線画の部分拡大図である。
【図３６】（ａ）本発明の実施例３に関するチェンジング画像印刷物の平面図であり、(ｂ)はパターン線画の部分拡大図である。
【図３７】（ａ）本発明の実施例３に関するチェンジング画像印刷物の平面図であり、(ｂ)はパターン線画の部分拡大図である。
【発明を実施するための形態】
【００１６】
以下、本発明の実施形態について図面を参照しながら説明する。
【実施例１】
【００１７】
本実施例は、図１（ａ）〜(ｃ)に示す短線２（２ａ、２ｂ、２ｃ）が直線方向に間隔３（ｄ１）をあけて連続的に配列されてなる破線形状４（４ａ、４ｂ、４ｃ）を用いて３態様の線画５（５ａ、５ｂ、５ｃ）を形成し、これらの線画５ａ、５ｂ、５ｃを組み合わせることにより、図１(ｄ)に示すパターン線画６ａを形成する。次いで、図３に示すように、パターン線画６ａを用いて印刷基材７（図３参照）に印刷を施すことにより、複数の絵柄８ａ、８ｂ、８ｃが見る角度によって変化するチェンジング画像印刷物１ａとして形成される。
【００１８】
そのようなチェンジング画像印刷物１ａを形成するために、本実施例では、コンピュータの画像編集ソフト等を用いて、図１（ａ）〜(ｃ)に示す各線画５（５ａ、５ｂ、５ｃ）を作成し、これらの線画５ａ、５ｂ、５ｃを用いていずれかの線画を背景に用いたり、所望の形状の絵柄に形成する。
【００１９】
上記の各線画５の具体例として、本実施例では、図１(ａ)に示す線画５ａをベース柄とし、図１(ｂ)に示す線画５ｂを第１柄とし、図１(ｃ)に示す線画５ｃを第２柄とする。これらのいずれの線画５ａ、５ｂ、５ｃもまた、図１（ａ）〜(ｃ)に示すように、短線２ａ、２ｂ、２ｃが直線方向に一定の間隔３をあけて連続的に配列されてなる破線形状４ａ、４ｂ、４ｃを短線２ａ、２ｂ、２ｃの幅方向に一定の長さの間隔ｄ２をあけて連続的に配列した線画５ａ、５ｂ、５ｃとして形成する。
【００２０】
上記の各線画５において、各短線２の長さや間隔３等の数値について例示すると、コンピュータを用いた作図の段階で、単一の各短線２の長さが０．４〜０．５ｍｍ、直線方向における短線２と短線２の間隔ｄ１（ピッチ）が０．２ｍｍ、短線２の幅方向における短線２と短線２の間隔ｄ２が０．１ｍｍとなるようにする。
【００２１】
ただし、本実施例において、図１（ａ）〜(ｃ)に示す線画５ａ、５ｂ、５ｃの形成角度は互いに異なるものであり、図１（ａ）の線画（ベース柄）５ａを構成する各短線２ａは、水平線を基準に反時計回りにα＝３０°傾斜（即ち、右方向に傾斜）してあり、図１(ｂ)の線画（第１柄）５ｂを構成する各短線２ｂは垂直方向に形成してあり、図１(ｃ)に示す線画（第２柄）５ｃを構成する各短線２ｃは、水平線を基準に時計回りにα＝３０°傾斜（即ち、左方向に傾斜）した状態に形成されている。
【００２２】
なお、上記の各数値は一例であって、単一の短線２（２ａ、２ｂ、２ｃ）の長さ、直線方向における短線２と短線２の間隔ｄ１、短線２の幅方向における短線２と短線２の間隔ｄ２、各短線２の角度α等が一定の数値ではなく、設計の目的とするチェンジング画像印刷物の絵柄等の内容によっては、上記の各数値を微妙に変化させることも可能である。
【００２３】
次いで、本実施例においては、図１(ａ)に示すベース柄を形成する線画５ａと、図１(ｂ)に示す第１柄を形成する線画５ｂと、図１(ｃ)に示す第２柄を形成する線画５ｃとを組み合わせることによって、図１(ｄ)に示すパターン線画６ａを形成する。このパターン線画６ａは、上記のように複数の短線２（２ａ、２ｂ、２ｃ）からなるパターンを連続的に配列してなるものである。
【００２４】
本実施例の場合、上記の図１（ａ）〜(ｃ)に示す各線画５ａ、５ｂ、５ｃを用いて、図１(ｆ)に示すように３個の菱形を組み合わせることによって形成された正四角立方体を斜め上方から見た図形のような一つのパターン９ａが形成され、このパターン９ａが縦方向及び横方向に組み合わされてなるパターン線画６ａが形成される。
【００２５】
次いで、上記の３態様の線画５ａ、５ｂ、５ｃを用いて具体的な絵柄を描いた実施態様について述べる。図２（ａ）は図１（ａ）の線画５ａを用いてベース柄８ａを形成し、図２(ｂ)は図１(ｂ)の線画５ｂを用いて第１柄８ｂを形成し、図２(ｃ)は図１(ｃ)の線画５ｃを用いて第２柄８ｃを形成したものである。
【００２６】
より詳細に述べると、図２(ａ)は背景となるベース柄８ａであり、図１(ａ)に示すように、各短線２ａが右斜め方向に傾斜した線画５ａから形成され、この線画５ａを背景となる領域全体に形成する。また、図２(ｂ)は第１柄８ｂであり、図１(ｂ)に示すように、各短線２ｂが垂直方向に形成された線画５ｂを、例として「Ａ」の文字に形成したものである。さらに、図２(ｃ)は第２柄８ｃであり、図１(ｃ)に示すように、各短線２ｃが左斜め方向に傾斜した線画５ｃから形成され、この線画５ｃを例として「ハート形状」に形成したものである。そして、これらの図２（ａ）〜(ｃ)の線画５ａ、５ｂ、５ｃを図１(ｄ)に示すように組み合わせることによって、図２(ｄ)に示す合成したパターン線画８ｄが形成される。
【００２７】
本実施例では、上記のように、コンピュータの画像編集ソフトで、図２(ｄ)に示すような合成したパターン線画８ｄを用いて、通常のスクリーン印刷の製版を行い、この製版の上にインキやペーストを載せて、印刷基材７（図３参照）に対してスクリーン印刷を行う。
【００２８】
このようなスクリーン印刷において、被印刷面を構成する印刷基材７としては、紙、合成樹脂製シートのほかに、金属板、ガラス板等を用いて印刷をすることが可能である。また、画像のチェンジング効果を鮮明にするため、印刷基材７の被印刷面が光沢性又は半光沢性を有するように構成することが望ましい。さらに、印刷基材７の被印刷面として、艶消し状のマット基材を用いることによって、本発明のチェンジング画像印刷を施すことも可能である。
【００２９】
また、本実施例のチェンジング画像印刷物は、合成樹脂製等による透明又は半透明の印刷基材を用いた場合、印刷基材の裏面に本実施例のチェンジング画像印刷を施して、これを表面から見ることによって画像のチェンジング効果を奏することが可能である。さらに、透明又は半透明の印刷基材の裏面に本実施例のチェンジング画像印刷を施し、その印刷面上に別色のインキでベタ印刷を施すことによって、表側からチェンジング画像印刷による絵柄とベタ印刷による絵柄とを視認することも可能である
【００３０】
また、スクリーン印刷用インキとして、ＵＶ照射用インキや通常の油性インキであって、透明インキ、又は多少の着色を混入した半透明インキ等の透光性インキを用いることによってスクリーン印刷を行い、上記のパターン線画６ａを印刷基材７の面から１０μｍ程度の盛り量を有する断面山形状の透光性インキで形成する。
【００３１】
なお、本実施例においては、印刷基材上にスクリーン印刷及びオフセット印刷やその他の印刷方法を用いて、インキの着色による絵柄印刷及びベタ印刷を施した上に、本実施例のチェンジング画像印刷を施すようにしても良い。さらに、上記のチェンジング画像印刷を施した後に、製品に要求される成形加工等の凹凸を施すことも可能である。
【００３２】
このような構成によって、例えば図１(ｅ)に示す一つのパターン９ｂの短線２ｃ又は短線２ｄを例にすると、これらの短線を用いてスクリーン印刷を行った硬化後の短線２ｃ又は２ｄをなす突状のパターン線画１１に対し、見る角度を変えることによって反射光の強弱により、明瞭に見えるか否かの視認性が変化する。
【００３３】
このようなチェンジング効果によって、図２(ｄ)に示す合成したパターン線画８ｄを用いて、上記のようにスクリーン印刷を行った硬化後のチェンジング画像印刷物１ａの見る方向を変えると、図３(ａ)及び(ｂ)に示すように、見える絵柄が変化することになる。即ち、図３（ａ）に示すように、ベース柄８ａを背景にして「Ａ」の文字を表す第１柄８ｂを鮮明に見たり、図３(ｂ)に示すように、「ハート形状」を表す第２柄８ｃを鮮明に見ることができるというように、絵柄の視認性が見る角度によって変化するものとなる。
【００３４】
また、本実施例では、図４（ａ）に示すように、背景となるベース柄８ａの内部に、このベース柄８ａに重ねる絵柄のうち「Ａ」の文字の領域を除く白抜き１０の領域を形成する。そして、この白抜き１０の領域に、図４(ｂ)の「Ａ」を表す第１柄８ｂ（パターン線画５ｂ）を重ね、さらに図４(ｃ)の「ハート形状」を表す第２柄８ｃ（パターン線画５ｃ）を重ねることによって、図４(ｄ)に示す合成したパターン線画８ｄを形成することが可能である。
【００３５】
このようなパターン線画８ｄを用いて上記のスクリーン印刷を行った硬化後のチェンジング画像印刷物１ｂの見る方向を変えると、図５（ａ）に示す第１柄８ｂは、「Ａ」の文字を表す背景が白抜き１０とされていることにより、背景のベース柄の中に「Ａ」の文字を構成する第１柄８ｂ（パターン線画５ｂ）のみが見えることとなる。
【００３６】
これに対して、図３（ａ）に示す「Ａ」の文字を表す第１柄８ｂの背景は白抜きが形成されていないため、ベース柄８ａを形成するパターン線画５ａと「Ａ」の文字を形成するパターン線画５ｂが合成されて見えるため、この図３（ａ）に示す文字「Ａ」よりも図５（ａ）に示す文字「Ａ」がすっきりとした視認性を与えることとなる。
【実施例２】
【００３７】
本実施例のチェンジング画像印刷物は、上記の実施例１のチェンジング画像印刷物を形成するための線画５やパターン線画６ａ、６ｂの基本的な構成や形成方法は同様であるが、実施例１が、ベース柄と第１柄と第２柄とから構成されているのに対して、本実施例の場合、後述するベース柄と第１柄と第２柄と第３柄とを構成することによってパターン構成をより複雑な形状にし、見る角度によって変化する絵柄を３態様としている。
【００３８】
まず、本実施例においても、コンピュータの画像編集ソフト等を用いて、図７に示す複数の線画１５を作成する。本実施例において、複数の線画１５とは、図７(ａ)に示すベース柄を形成する線画１５ａと、図７(ｂ)に示す第１柄を形成する線画１５ｂと、図７(ｃ)に示す第２柄を形成する線画１５ｃと、図７(ｄ)に示す第３柄を形成する線画１５ｄというように、全部で４種の線画から構成されている。
【００３９】
また、上記の実施例と同様に、いずれの線画１５も、図７（ａ）〜(ｄ)に示すように、短線１２（１２ａ、１２ｂ、１２ｃ、１２ｄ）が直線方向に一定の間隔をあけて連続的に配列されてなる破線形状１４（１４ａ、１４ｂ、１４ｃ、１４ｄ）を短線１２の幅方向に一定の間隔１３をあけて連続的に配列した線画１５（１５ａ、１５ｂ、１５ｃ、１５ｄ）として形成する。
【００４０】
ただし、本実施例においては、短線１２が直線方向に一定の間隔をあけて連続的に配列されてなる破線形状１４を構成すると共に、隣設する２本の短線、３本の短線、又は不図示であるが３本以上の複数の短線が群をなすようにパターン化されている。
【００４１】
従って、各線画１５において、コンピュータを用いた作図の段階で、単一の短線１２の長さ、直線方向における短線１２と短線１２の間隔（ピッチ）１３（ｄ３）等は、それぞれ微妙に変化する値とされている。
【００４２】
また、図７（ａ）〜(ｄ)に示す各線画１５の相互の形成角度βは異なるものであり、図７（ａ）のベース柄を構成する線画１５ａは、同等の長さの２本の短線１２ａが上下に離間して水平状に形成され、図７(ｂ)に示す第１柄を構成する線画１５ｂは異なる長さを有する３本の短線１２ｂが横方向に離間して垂直方向に形成されている。また、図７(ｃ)に示す第２柄を構成する線画１５ｃは、水平線を基準に反時計回りにβ＝４５°で右方向に傾斜し、図７(ｄ)に示す第３柄を構成する各短線１２ｄは、水平線を基準に時計回りにβ＝４５°で左方向に傾斜した状態で形成されている。また、これらの第２柄を構成する線画１５ｃと第３柄を構成する各短線１２ｄは、夫々、異なる長さを有する３本の短線１２ｃ、１２ｄで形成されている。
【００４３】
そして、本実施例においては、図７(ａ)に示すベース柄を形成する線画１５ａと、図７(ｂ)に示す第１柄を形成する線画１５ｂと、図７(ｃ)に示す第２柄を形成する線画１５ｃと、図７(ｄ)に示す第３柄を形成する線画１５ｄとを組み合わせることによって、図７(ｅ)に示すパターン線画１６ａを形成する。
【００４４】
本実施例の場合、図７(ｅ)に示すパターン線画１６ａは、上記の４種の短線１２ａ、１２ｂ、１２ｃ、１２ｄから形成された複雑な一つのパターン１９ａで形成され、このパターン１９ａが縦方向及び横方向に組み合わされることによってパターン線画１６ａが形成される。
【００４５】
次いで、上記の４態様の線画１５ａ、１５ｂ、１５ｃ、１５ｄを用いて表した絵柄の具体例を挙げると、図８（ａ）は線画１５ａを用いた背景となるベース柄１８ａであり、図８(ｂ)は線画１５ｂを用いた「花柄」を示す第１柄１８ｂであり、図８(ｃ)は線画１５ｃを用いた「寿」の文字を表す第２柄１８ｃであり、図８(ｄ)は線画１５ｄを用いた「星印」を表す第３柄１８ｄである。そして、これらの線画１５ａ、１５ｂ、１５ｃ、１５ｄを組み合わせることによって、図８(ｅ)に示すパターン線画１６ａが形成されることとなる。
【００４６】
そして、本実施例においてもまた、コンピュータの画像編集ソフト等で、図８(ｅ)に示すような絵柄１８ｅを形成し、この絵柄１８ｅを用いて、通常のスクリーン印刷のための製版を行い、この製版の上にインキやペーストを載せ、印刷基材に対してスクリーン印刷を行う。
【００４７】
また、このようなスクリーン印刷において、上記の実施例と同様に、被印刷面を構成する印刷基材１７（図９参照）として、紙製、合成樹脂製シートのほかに、金属板、ガラス板等にも印刷をすることが可能である。また、チェンジング効果を鮮明にするため、印刷基材１７の被印刷面が光沢性又は半光沢性を有するように構成することが望ましい。さらに、印刷基材１７の被印刷面として、艶消し状のマット基材を用いることによって、本発明のチェンジング画像印刷を施すことも可能である。
【００４８】
また、実施例１と同様に、本実施例のチェンジング画像印刷物は、合成樹脂製等による透明又は半透明の印刷基材の裏面に本実施例のチェンジング画像印刷を施して、これを表面から見ることによって画像のチェンジング効果を奏することが可能である。さらに、実施例１と同様に、透明又は半透明の印刷基材の裏面に本実施例のチェンジング画像印刷を施し、その印刷面上に別色のインキでベタ印刷を施すことによって、表側からチェンジング画像印刷による絵柄とベタ印刷による色柄とを視認することも可能である
【００４９】
また、スクリーン印刷用インキとして、ＵＶ照射用インキや通常の油性インキであって、透明インキ、又は多少の着色を混入した半透明インキ等の透光性インキを用いることによってスクリーン印刷を行い、上記のパターン線画１６ａを印刷基材１７の面から１０μｍ程度の盛り量を有する断面山形状の透光性インキで形成する。
【００５０】
なお、本実施例においてもまた、印刷基材上にスクリーン印刷及びオフセット印刷やその他の印刷方法を用いて、インキの着色による絵柄印刷及びベタ印刷を施した上に、本実施例のチェンジング画像印刷を施すようにしても良い。さらに、上記のチェンジング画像印刷を施した後に、製品に要求される成形加工等の凹凸を施すことも可能である。
【００５１】
このような構成によって、図８(ｅ)のような印刷画像が、見る角度によって、図９（ａ）の「花柄」形状、図９(ｂ)の「寿」の文字、又は図８(ｃ)の「星印」形状のいずれかを鮮明に見ることができるというように、絵柄の視認性が見る角度によって変化するチェンジング画像印刷物１ｃを得ることが可能となる。
【００５２】
また、図１０（ａ）に示すベース柄１８ａの内部に、このベース柄１８ａに重ねる絵柄のうち図９(ｂ)の「花柄」を表す第1柄１８ｂの領域を除く白抜き２０の領域を形成し、このベース柄１８ａの白抜き２０の領域に、図９(ｂ)の「花柄」の線画１５ｃを重ね、さらに図９(ｃ)の「寿」の文字の線画１５ｄを重ね、さらに図９(ｄ)の「星印」の線画１５ｄを重ねることによって、図９(ｅ)に示す合成したパターン線画１８ｅを形成することが可能である。
【００５３】
この図９(ｅ)に示す合成したパターン線画１８ｅもまた、実施例１と同様に、ベース柄１８ａに白抜き２０が形成され、この白抜き２０に図１０(ｂ)の「花柄」の線画１５ｃが重ねられたことによって、図１１（ａ）に示すチェンジング画像印刷物１ｄにおいては、背景のベース柄１８ａの中に「花柄」の文字を表す第１柄１８ｂのみが見えるため、すっきりとした視認性を与えるという効果を有することとなる。
【実施例３】
【００５４】
本実施例のチェンジング画像印刷物は、図１２（ａ）〜（ｈ）に示すように、互いに重なることのない直線２２又は曲線２３の配列による線画２４の各線の長さ、間隔、線幅又は角度を変化させることにより複数のパターン線画２５を形成すると共に、これらのパターン線画２５を組み合わせた絵柄２６を印刷基材２１の全面にインクを用いた印刷による断面山形状の線画２４として形成したことにより、印刷基材２１の絵柄２６の視認性が見る角度によって変化する構成としたものである。
【００５５】
図１２（ａ）に示すカード２８は、本実施例の具体例であって、チェンジング画像印刷物をカード２８の全面に形成することによって、カード２８の全面にチェンジング画像を表現するようにしたものである。
【００５６】
本実施例において、図１２(ｂ)〜(ｈ)に示すように、複数のパターン線画２５は、互いに重なることのない直線２２又は曲線２３の配列による各線の長さ、間隔、線幅又は角度を変化させることにより形成することが可能である。
【００５７】
このようなパターン線画２５について具体的に述べると、図１２(ｂ)に示すパターン線画２５は、図１２（ａ）のカード２８に描かれたパターン線画２５の一部を拡大したものであり、一点を中心にして複数の曲線２３が波形状を描くように所定間隔で拡大するように形成したものである。
【００５８】
また、図１２(ｃ)に示すパターン線画２５は、所定の間隔をあけて形成された複数の直線２２が縦方向と横方向に並列して形成されたものである。また、このような線画２４は、複数の直線２２の間隔を徐々に拡大又は縮小することによって、図１２(ｄ)に示すようなパターン線画２５として描かれる。
【００５９】
また、図１２(ｅ)は、複数の直線２２を傾斜状にして縦方向に等間隔で配列したパターン線画２５ａと傾斜角度を変えたパターン線画２５ｂとを交互に配列したものであり、図１２(ｆ)では、上記のように複数の直線２２を傾斜状にして配列したパターン線画２５ａ、２５ｂの直線２２の間隔を縦方向に向けて徐々に拡大又は縮小することによって形成したものである。
【００６０】
さらに、図１２(ｇ)は複数の円形状の曲線２３を同心円状に等間隔で配列したパターン線画２５として形成し、図１２(ｈ)は波状を描く複数の曲線２３を縦方向に所定間隔をあけて描いたパターン線画２５として形成したものである。
【００６１】
このような図１２(ｂ)〜(ｈ)は、本発明によるパターン線画の一例であり、上記の種々のパターン線画２５を組み合わせることによって形成された絵柄２６は、コンピュータの画像編集ソフト等を用いることによって様々なパターン線画として描画可能である。
【００６２】
さらに、上記のパターン線画を構成する各種の線画は、通常のスクリーン印刷の製版を行い、この製版の上にインキやペーストを載せて、印刷基材に対してスクリーン印刷を行うことによって実施可能である。なお、印刷基材としては、紙、合成樹脂製シートのほかに、木工品、金属板、ガラス板等を用いて印刷をすることが可能である。また、画像のチェンジング効果を鮮明にするため、印刷基材の被印刷面が光沢性又は半光沢性を有するように構成することが望ましい。ただし、光沢性を有しない印刷基材を用いることも可能であり、艶消し状のマット基材を用いてもよい。
【００６３】
また、インキは、上記の各印刷基材に印刷可能であれば、特に限定することなく使用可能である。スクリーン印刷用インキとしては、ＵＶ照射用インキや通常の油性インキであって、透明インキ、又は多少の着色を混入した半透明インキ等の透光性インキを用いることによりスクリーン印刷を行い、上記のパターン線画を印刷基材の面から１０μｍ程度の盛り量を有する断面山形状の透光性インキで形成するとよい。ただし、透光性を有しないインキを用いてパターン線画を形成することも可能である。
【００６４】
なお、本実施例においては、印刷基材上にスクリーン印刷及びオフセット印刷やその他の印刷方法を用いて、インキの着色による絵柄印刷、及びベタ印刷を施した上に、本実施例のチェンジング画像印刷を施すようにしても良い。さらに、上記のチェンジング画像印刷を施した後に、製品に要求される成形加工等の凹凸を施すことも可能である。
【００６５】
また、上記のチェンジング画像印刷の各線画は、スクリーン印刷の場合、線幅を３０〜１００μｍ、隣り合う線の間隔（ピッチ）を６０〜２００μｍ、線の高さ（インキの盛り量）を１〜２００μｍの範囲で選択することが可能である。また、オフセット印刷の場合、線幅を１０〜３０μｍ、隣り合う線の間隔（ピッチ）を２０〜６０μｍ、線の高さ（インキの盛り量）を１〜１５μｍの範囲で選択することが可能である。
【００６６】
さらに、図１２（ａ）に示すように、印刷基材２１の全面に形成した絵柄２６の面内に線画を形成しない抜き形状２９を形成することによって、絵柄２６の面内に抜き形状２９により形成された文字や任意の形状を表現することも可能である。その例として、本実施例では、図１２（ａ）に示すように、絵柄２６の面内にトラの絵を抜き形状２９として形成し、トラの絵の内部はインクによる描画２７で描くようにしている。
【００６７】
また、図１３（ａ）に示す展開図は、パッケージ３０を構成する各面に異なるパターン線画２５を形成したものである。即ち、図１３(ｂ)に示すパターン線画２５は、複数の直線２２を同等の長さで等間隔で配列することによって正方形のパターン線画２５を形成し、このパターン線画２５の方向が互いに直角となるように配列したものである。
【００６８】
また、図１３(ｃ)に示すパターン線画２５は、中心から複数の波形状の曲線２３が等間隔をあけながら拡大する線画２４として形成され、見る角度によって放射状に輝く線分が中心から四方へ拡散するように見えるものである。なお、図１３(ｂ)に示す絵柄２６の面には、文字「ＡＢＣＤ」の抜き形状２９（線画を描かない部分）を形成している。さらに、図１３(ｄ)に示すチェンジング画像印刷物は、複数の直線２２の配列が円形を成すパターン線画２５として、各パターン線画２５の各線の方向が交互に直角を成すように配置したものである。
【００６９】
さらに、図１４〜図３７には、本発明によるパターン線画２５による絵柄２６の例を示してある。各図において、（ａ）はチェンジング画像印刷物をコピー機で複写したものであり、実際の視認性としては、見る角度によって輝きを発する部分が様々に変化するように見えるものである。また、各図において、(ｂ)は（ａ）の要部を拡大して模式的に描いた平面図である。
【００７０】
以下、図１４〜図３７に示すチェンジング画像印刷物の絵柄２６について説明する。なお、いずれの絵柄２６も、絵柄２６を構成するパターン線画２５の各線は、上記のスクリーン印刷、又はオフセット印刷によって形成することが可能である。以下の説明においては、各チェンジング画像印刷物の絵柄２６を構成するパターン線画２５の形状について説明する。
【００７１】
図１４〜図１７に示すチェンジング画像印刷物の絵柄２６は、いずれも印刷基材２１の略中央から反時計回りに曲線状の境界線３１を描いて放射するように見えるパターン線画２５によって形成されたものである。また、これらの図１４〜図１７の絵柄２６のうち、図１４、図１５のパターン線画２５は、いずれも印刷基材２１全体に滑らかに湾曲する無色の曲線状の境界線３１が等間隔に放射するように描かれると共に、各無色の境界線３１の間に直線２２による複数の斜線を等間隔に形成し、この複数の等間隔の斜線を各無色の境界線３１の間ごとに異なる方向に形成したものである。図１５のパターン線画２５は、図１４のパターン線画２５の上下方向を圧縮した形状にしたものである。
【００７２】
また、図１６、図１７のパターン線画２５は、いずれも印刷基材２１全体に滑らかに湾曲する無色の境界線３１が等間隔に放射するように描かれると共に、各無色の境界線３１の間に波状をなす複数の曲線２３を等間隔に形成し、この複数の等間隔の曲線２３を各無色の境界線３１の間ごとに異なる方向に形成したものである。図１７のパターン線画２５は、図１６のパターン線画２５の上下方向を圧縮した形状にしたものである。
【００７３】
また、図１８〜図２１のパターン線画２５は、印刷基材２１の略中央から無色の円形をなす境界線３１が等間隔に同心円状に形成され、図１８のパターン線画２５は、直線２２の傾斜線を各境界線３１間ごとに異なる方向に形成したものである。また、図１９のパターン線画２５は、図１８のパターン線画２５の円形をなす境界線３１間の距離を縮小して楕円形にしたものである。
【００７４】
さらに、図２０のパターン線画２５は、図１８のパターン線画２５の上下方向を圧縮した形状に形成したものであり、図２１のパターン線画２５は、図１９のパターン線画２５の楕円形をなす境界線３１間の距離を縮小したものである。
【００７５】
また、図２２〜図２５のパターン線画２５は、印刷基材２１の全体に波状をなす複数の曲線２３を等間隔で形成すると共に、印刷基材２１の略中央から無色の円形をなす境界線３１を等間隔に同心円状に形成したものであり、図２３のパターン線画２５は、図２２のパターン線画２５よりも各線の線幅が太く形成されたものである。また、図２４は図２３のパターン線画２５の無色の円形をなす境界線３１の間隔を狭くし、さらに図２５は図２４のパターン線画２５の無色の円形をなす境界線３１の間隔を狭く形成したものである。
【００７６】
図２６、図２７のパターン線画２５は、印刷基材２１の略中央から無色の正方形をなす境界線３１が等間隔に同心状に形成されたものであり、図２６のパターン線画２５は、直線２２の傾斜線を正方形の境界線３１の間ごとに異なる方向に形成したものである。また、図２７のパターン線画２５は、図２６のパターン線画２５をなす正方形の線の間隔を大きく形成したものである。
【００７７】
さらに、図２８、図２９のパターン線画２５は、印刷基材２１の略中央から無色の正方形をなす境界線３１が等間隔に同心状に形成されたものであり、図２８のパターン線画２５は、波状の曲線２３を正方形の境界線３１間ごとに異なる方向に形成したものであり、図２９のパターン線画２５は、図２８のパターン線画２５をなす正方形の境界線３１の間隔を小さく形成したものである。
【００７８】
また、図３０のパターン線画２５は、等間隔の直線２２を円形３２内に収まるように配列した複数の線画２４を互いに異なる方向に配置すると共に、複数のパターン線画２５の配置が円形の膨らみをもって視認できるように、円形の膨らみの周辺域３３の線画２４を楕円形に変形したものである。また、図３１の絵柄２６は、等間隔の直線２２による斜線を円形３２の境界線３１内に収まるように配列した複数の線画２４を互いに異なる方向に配置すると共に、複数のパターン線画２５の配置が円形の膨らみをもって視認できるように、円形の膨らみの周辺域３３の線画２４を楕円形に変形したものであり、図３２のパターン線画２５は、図３１のパターン線画２５を縮小した状態で配置したものである。
【００７９】
また、図３３は、等間隔の直線２２を四角形３４の境界線３１内に収まるように配列した複数の線画２４を互いに異なる方向に配置すると共に、複数のパターン線画２５の配置が円形の膨らみをもって視認できるように、円形の膨らみの周辺域３３の線画２４を縮小した形状としたものである。
【００８０】
さらに、図３４の絵柄２６は、多様な多角形３５をなす境界線３１内に等間隔で配置した斜線状の直線２２を形成してなるパターン線画２５を印刷基材２１の全面に配置したものであり、図３５は各パターン線画２５内に波状の曲線２３を等間隔で形成したものである。また、図３６は図３５とは異なる波状の曲線２３を用いて形成し、さらに図３７は、細長い四角形３６等をなす境界線３１内に波状の曲線２３を等間隔で形成したものである。
【産業上の利用可能性】
【００８１】
本発明のチェンジング画像印刷物は、偽造防止を目的とする印刷物ではなく、紙製や合成樹脂製等の基材を用いて形成したパッケージやその他の物品に、極めて精細な絵柄を表現することができ、見る角度によって見える絵柄が変化するようにしたチェンジング画像印刷物として利用することが可能である。
【符号の説明】
【００８２】
１ａ、１ｂ、１ｃ、１ｄ  チェンジング画像印刷物
２（２ａ、２ｂ、２ｃ）  短線
３  短線と短線の間隔
４（４ａ、４ｂ、４ｃ）  破線形状
５（５ａ、５ｂ、５ｃ）  線画
６ａ、６ｂ  パターン線画
８ａ  絵柄（ベース柄）
８ｂ  絵柄（第１柄）
８ｃ  絵柄（第２柄）
８ｄ  合成したパターン線画
９ａ、９ｂ  一つのパターン
１０  白抜き
１１  突状のパターン線画
１２（１２ａ、１２ｂ、１２ｃ、１２ｄ）  短線
１３  短線と短線の間隔
１４（１４ａ、１４ｂ、１４ｃ、１４ｄ）  破線形状
１５（１５ａ、１５ｂ、１５ｃ、１５ｄ）  線画
１６ａ  パターン線画
１８ａ  絵柄（ベース柄）
１８ｂ  絵柄（第１柄）
１８ｃ  絵柄（第２柄）
１８ｄ  絵柄（第３柄）
１８ｅ  合成したパターン線画
１９ａ、１９ｂ  一つのパターン
２０  白抜き
２１  印刷基材
２２  直線
２３  曲線
２４  線画
２５  パターン線画
２５ａ、２５ｂ  パターン線画
２６  絵柄
２７  描画
２８  カード
２９  抜き形状
３０  パッケージ
３１  境界線
３２  円形
３３  周辺域
３４  四角形
３５  多角形
３６  細長い四角形
ｄ１  直線方向における短線と短線の間隔
ｄ２  短線の幅方向における短線と短線の間隔
ｄ３  直線方向における短線と短線の間隔
ｄ４  短線の幅方向における短線と短線の間隔
α  短線の角度
β  短線の角度
【図１】
2015120328.tif 000003
【図２】
2015120328.tif 000004
【図３】
2015120328.tif 000005
【図４】
2015120328.tif 000006
【図５】
2015120328.tif 000007
【図６】
2015120328.tif 000008
【図７】
2015120328.tif 000009
【図８】
2015120328.tif 000010
【図９】
2015120328.tif 000011
【図１０】
2015120328.tif 000012
【図１１】
2015120328.tif 000013
【図１２】
2015120328.tif 000014
【図１３】
2015120328.tif 000015
【図１４】
2015120328.tif 000016
【図１５】
2015120328.tif 000017
【図１６】
2015120328.tif 000018
【図１７】
2015120328.tif 000019
【図１８】
2015120328.tif 000020
【図１９】
2015120328.tif 000021
【図２０】
2015120328.tif 000022
【図２１】
2015120328.tif 000023
【図２２】
2015120328.tif 000024
【図２３】
2015120328.tif 000025
【図２４】
2015120328.tif 000026
【図２５】
2015120328.tif 000027
【図２６】
2015120328.tif 000028
【図２７】
2015120328.tif 000029
【図２８】
2015120328.tif 000030
【図２９】
2015120328.tif 000031
【図３０】
2015120328.tif 000032
【図３１】
2015120328.tif 000033
【図３２】
2015120328.tif 000034
【図３３】
2015120328.tif 000035
【図３４】
2015120328.tif 000036
【図３５】
2015120328.tif 000037
【図３６】
2015120328.tif 000038
【図３７】
2015120328.tif 000039